(57)【要約】【課題】鉛より軽量で、毒性が無く、かつ酸化しても見た目に悪くなることのない材料によりステンドグラス又はガラス板を保持・固定することが可能なケームを提供する。【解決手段】ステンドグラス又はガラス板を保持・固定するためのケームにおいて、ステンドグラス又はガラス板を保持する手段としてスズを主成分とするものを用いた。ステンドグラス又はガラス板を保持する手段としてスズにアンチモンや銅を加えた合金を用いることもできる。【選択図】　　　　図１
0003099362.tif 000002
【実用新案登録請求の範囲】
【請求項１】
ステンドグラス又はガラス板を保持・固定するためのケームにおいて、
前記ステンドグラス又はガラス板を保持する手段としてスズを主成分とするものを用いたことを特徴とするケーム。
【請求項２】
前記ステンドグラス又はガラス板を保持する手段として前記スズを９５重量％、アンチモンを５重量％用いた合金を用いることを特徴とする請求項１に記載のケーム。
【請求項３】
前記ステンドグラス又はガラス板を保持する手段として前記スズを９７重量％、銅を３重量％用いた合金を用いることを特徴とする請求項１に記載のケーム。
【請求項４】
前記ステンドグラス又はガラス板を保持する手段として前記スズが１００重量％であることを特徴とする請求項１に記載のケーム。
【考案の詳細な説明】
【０００１】
【考案の属する技術分野】
本考案は、ステンドグラスを保持・固定するためのケームに関し、特にステンドグラスを保持する手段の材料の改良に関する。
【０００２】
【従来の技術】
従来からステンドグラスなどは、ケームと呼ばれる金属の枠で保持・固定されている。このケームの材料として、伝統的に鉛が用いられてきた。
【０００３】
【考案が解決しようとする課題】
しかしながら、鉛をステンドグラスを保持・固定する手段として用いると、下記のような問題があった。すなわち、鉛は比重が大きいため、ステンドグラスの重量に鉛の重量が大きく加わり、全体の重量の増加の原因となっていた。また、鉛には致死量が０．５ｇ程度と言われる毒性が有るため、取り扱いに注意が必要であり、作業する者の中毒対策などが必要であった。さらに、鉛は、酸化すると、灰黒色となり、見た目によくないという問題がある。
【０００４】
したがって、本考案は、鉛より軽量で、毒性が無く、かつ酸化しても見た目に悪くなることのない材料によりステンドグラス又はガラス板を保持・固定することが可能なケームを提供することを目的とする。
【０００５】
【課題を解決するための手段】
上記目的を達成するため、本考案では従来の鉛に代えて、スズ又はスズを主成分とする合金を用いている。
【０００６】
すなわち本考案によれば、ステンドグラス又はガラス板を保持・固定するためのケームにおいて、
前記ステンドグラス又はガラス板を保持する手段としてスズを主成分とするものを用いたことを特徴とするケームが提供される。
【０００７】
また、ステンドグラス又はガラス板を保持する手段としてスズにアンチモンや銅を加えた合金を用いることは、本考案の好ましい態様である。
【０００８】
【考案の実施の形態】
以下、図面を参照して本考案の好ましい実施の形態について説明する。本考案のケーム１０は、例えば図１に示すように複数のステンドグラス片１２、１４、１６、１８、２０、２２を保持・固定するよう構成されている。具体的には、ケーム１０の断面はＨ字状あるいはコの字状であり、Ｈ字状の場合は、両側にステンドグラスが配置され、コの字状の場合は片側にのみステンドグラスが配置される。このケーム１０を構成する材料として、本考案では従来の鉛に代えて、スズ又はその合金を用いている。合金としては、スズを９５重量％、アンチモンを５重量％用いた合金を用いることができる。また、他の合金としてスズを９７重量％、銅を３重量％用いた合金を用いることができる。なお、合金とせずに、スズを１００重量％としてもよい。
【０００９】
なお、スズと鉛を比較すると、引っ張り強度が前者が２５．１ｋｇ／ｍｍ２、後者が２３．１ｋｇ／ｍｍ２であり（共に実測値）、スズの方が強いことがわかる。また、伸びについて両者を比較すると、前者が５５％、後者が３９％であり（共に文献値）、スズの方が有利であることがわかる。
【００１０】
また、スズの比重は鉛の０．５７倍と少ないので、スズを主成分としたステンドグラスを保持・固定するケームの総重量は、従来の鉛１００％のものと比較すると相当軽減される。また、スズ又はその合金であって、鉛を含まないものは、人体に無害であり、作業者の中毒の問題などを発生させる心配が無い。
【００１１】
なお、本考案のケームは、建築物の窓などに使用される装飾用のステンドグラスに限らず、食器戸棚などの家具類におけるガラス板の保持にも応用することもできる。
【００１２】
【考案の効果】
以上説明したように本考案によれば、鉛より軽量で、毒性が無く、かつ酸化しても見た目に悪くなることのない材料によりステンドグラス又はガラス板を保持・固定することが可能なケームを提供することができる。
【図面の簡単な説明】
【図１】本考案に係るケームを用いたステンドグラスの平面図である。
【符号の説明】
１０　ケーム
１２、１４、１６、１８、２０、２２　ステンドグラス片
【図１】
0003099362.tif 000003
【手続補正書】
【提出日】平成15年9月29日(2003.9.29)
【手続補正２】
【補正対象書類名】明細書
【補正対象項目名】実用新案登録請求の範囲
【補正方法】変更
【補正の内容】
【実用新案登録請求の範囲】
【請求項１】
ケイムで保持されたステンドグラス又はガラス板において、
前記ステンドグラス又はガラス板を保持する手段としてスズを主成分とするものを用いたことを特徴とするケイムで保持されたステンドグラス又はガラス板。
【請求項２】
前記ステンドグラス又はガラス板を保持する手段として前記スズを９５重量％、アンチモンを５重量％用いた合金を用いることを特徴とする請求項１に記載のケイムで保持されたステンドグラス又はガラス板。
【請求項３】
前記ステンドグラス又はガラス板を保持する手段として前記スズを９７重量％、銅を３重量％用いた合金を用いることを特徴とする請求項１に記載のケイムで保持されたステンドグラス又はガラス板。
【請求項４】
前記ステンドグラス又はガラス板を保持する手段として前記スズが１００重量％であることを特徴とする請求項１に記載のケイムで保持されたステンドグラス又はガラス板。
【手続補正３】
【補正対象書類名】明細書
【補正対象項目名】０００１
【補正方法】変更
【補正の内容】
【０００１】
【考案の属する技術分野】
本考案は、ケイム（以下、ケームと表記することもある）で保持されたステンドグラス又はガラス板に関し、特にステンドグラス又はガラス板を保持する手段の材料の改良に関する。


【手続補正４】
【補正対象書類名】明細書
【補正対象項目名】０００４
【補正方法】変更
【補正の内容】
【０００４】
したがって、本考案は、鉛より軽量で、毒性が無く、かつ酸化しても見た目に悪くなることのない材料によりステンドグラス又はガラス板を保持・固定するよう構成したケームで保持されたステンドグラス又はガラス板を提供することを目的とする。


【手続補正５】
【補正対象書類名】明細書
【補正対象項目名】０００６
【補正方法】変更
【補正の内容】
【０００６】
すなわち本考案によれば、ケイムで保持されたステンドグラス又はガラス板において、
前記ステンドグラス又はガラス板を保持する手段としてスズを主成分とするものを用いたことを特徴とするケイムで保持されたステンドグラス又はガラス板が提供される。


【手続補正６】
【補正対象書類名】明細書
【補正対象項目名】０００８
【補正方法】変更
【補正の内容】
【０００８】
【考案の実施の形態】
以下、図面を参照して本考案の好ましい実施の形態について説明する。本考案のケームで保持されたステンドグラス又はガラス板に用いるケーム１０は、例えば図１に示すように複数のステンドグラス片１２、１４、１６、１８、２０、２２を保持・固定するよう構成されている。具体的には、ケーム１０の断面はＨ字状あるいはコの字状であり、Ｈ字状の場合は、両側にステンドグラスが配置され、コの字状の場合は片側にのみステンドグラスが配置される。このケーム１０を構成する材料として、本考案では従来の鉛に代えて、スズ又はその合金を用いている。合金としては、スズを９５重量％、アンチモンを５重量％用いた合金を用いることができる。また、他の合金としてスズを９７重量％、銅を３重量％用いた合金を用いることができる。なお、合金とせずに、スズを１００重量％としてもよい。


【手続補正７】
【補正対象書類名】明細書
【補正対象項目名】００１１
【補正方法】変更
【補正の内容】
【００１１】
なお、本考案のケームで保持されたステンドグラス又はガラス板に用いるケームは、建築物の窓などに使用される装飾用のステンドグラスに限らず、食器戸棚などの家具類におけるガラス板の保持にも応用することもできる。


【手続補正８】
【補正対象書類名】明細書
【補正対象項目名】００１２
【補正方法】変更
【補正の内容】
【００１２】
【考案の効果】
以上説明したように本考案によれば、鉛より軽量で、毒性が無く、かつ酸化しても見た目に悪くなることのない材料でできたケームによりステンドグラス又はガラス板を保持することができる。


【手続補正９】
【補正対象書類名】明細書
【補正対象項目名】図面の簡単な説明
【補正方法】変更
【補正の内容】
【図面の簡単な説明】
【図１】本考案に係るケームで保持されたステンドグラス又はガラス板に用いるケームの平面図である。